(57)【要約】【課題】目の治療の際に眼球の損傷を抑制して眼球を固定することができる眼球固定具を提供する。【解決手段】本眼球固定具１は、中空状の枠体３と、枠体に一端側が接続されるとともに、枠体の内部空間３ａに連なる通気路４ａが形成された中空棒状の持ち手部４と、を備え、持ち手部には、通気路４ａに連なるように弾性袋状部５が設けられている。そして、枠体には、一端側が該枠体の内部空間３ａに連なり且つ他端側が該枠体の底面３ｂに開口する吸着孔９が形成されており、吸着孔９は、複数設けられている。【選択図】図２
2020018839.tif 000002
【特許請求の範囲】
【請求項１】
眼球を固定するための眼球固定具であって、
中空状の枠体と、
前記枠体に一端側が接続されるとともに、前記枠体の内部空間に連なる通気路が形成された中空棒状の持ち手部と、を備え、
前記持ち手部には、前記通気路に連なるように弾性袋状部が設けられており、
前記枠体には、一端側が該枠体の内部空間に連なり且つ他端側が該枠体の底面に開口する吸着孔が形成されており、
前記吸着孔は、複数設けられていることを特徴とする眼球固定具。
【請求項２】
前記枠体は、平面視で円環状又は円弧状に形成されており、
前記吸着孔は、前記枠体の軸回りの円周方向に沿って複数設けられている請求項１に記載の眼球固定具。
【請求項３】
前記吸着孔は、４個以上設けられている請求項１又は２に記載の眼球固定具。
【請求項４】
前記吸着孔の開口の直径は、０．１ｍｍ〜２．０ｍｍである請求項１乃至３のいずれか一項に記載の眼球固定具。
【請求項５】
前記吸着孔は、前記枠体の底面において外周縁よりも内周縁に近い位置で開口している請求項１乃至４のいずれか一項に記載の眼球固定具。
【請求項６】
前記枠体の底面には、底方に向かって拡径するテーパ面が形成されており、
前記吸着孔は、前記テーパ面に開口している請求項１乃至５のいずれか一項に記載の眼球固定具。
【請求項７】
前記眼球固定具は、角膜輪部切開術で用いられ、
前記枠体には、前記角膜輪部切開術でのメスによる切開の際に該メスの移動を案内するガイド面が設けられている請求項１乃至６のいずれか一項に記載の眼球固定具。
【請求項８】
前記眼球固定具は、角膜輪部切開術で用いられ、
前記枠体には、前記角膜輪部切開術でのメスの切開範囲を示すゲージ部が設けられている請求項１乃至７のいずれか一項に記載の眼球固定具。
【発明の詳細な説明】
【技術分野】
【０００１】
本発明は、眼球固定具に関し、さらに詳しくは、目の治療の際に眼球を固定するために用いられる眼球固定具に関する。
【背景技術】
【０００２】
従来の眼球固定具として、目の治療（例えば、白内障手術、屈折矯正手術等）の際に眼球を固定するために用いられるものが一般に知られている（例えば、特許文献１参照）。この特許文献１には、底面に突起が多数形成されたリング状の枠体と、枠体に一端側が接続された棒状の持ち手部と、を備える眼球固定具が記載されている。この眼球固定具によると、枠体の多数の突起を眼球の表層に押し当てることで眼球が固定される。
【先行技術文献】
【特許文献】
【０００３】
【特許文献１】特開２００２−１４３２０９号公報
【特許文献２】特表２００３−５１８９８７号公報
【発明の概要】
【発明が解決しようとする課題】
【０００４】
しかし、上記従来の眼球固定具では、枠体の多数の突起を眼球の表層に押し当てることで眼球が固定されるので、使用者の熟練度等によっては、突起の押し当て時に眼球の表層を傷付けてしまう恐れがある。
【０００５】
なお、上記特許文献２には、眼内に注射する時に用いる針の位置を決めるためのプラークであって、眼球上に載せて使用するフランジを備えるものが記載されているが、このフランジでは眼球を固定し難い。
【０００６】
ここで、乱視矯正手術として、角膜輪部切開術（Limbal Relaxing Incision；以下「ＬＲＩ」とも称する。）が一般に知られている。このＬＲＩでは、専用のダイヤモンドメスを用いて、角膜の周辺輪部に約５５０μｍの深さで切り込み３〜５ｍｍの円弧状の切開を加えることにより、角膜の歪みを矯正するものである。しかし、従来のＬＲＩでは、角膜の周辺輪部に対して適切な位置や範囲で切開を加えるために、切開線を事前にスタンプする必要がある。
【０００７】
本発明は、上記現状に鑑みてなされたものであり、目の治療の際に眼球の損傷を抑制して眼球を固定することができる眼球固定具を提供することを目的とする。
本発明は、上記目的に加えて、切開線の事前スタンプを必要とせず角膜輪部切開術を適切に実施できる眼球固定具を提供することを他の目的とする。
【課題を解決するための手段】
【０００８】
本発明は、以下の通りである。
１．眼球を固定するための眼球固定具であって、中空状の枠体と、前記枠体に一端側が接続されるとともに、前記枠体の内部空間に連なる通気路が形成された中空棒状の持ち手部と、を備え、前記持ち手部には、前記通気路に連なるように弾性袋状部が設けられており、前記枠体には、一端側が該枠体の内部空間に連なり且つ他端側が該枠体の底面に開口する吸着孔が形成されており、前記吸着孔は、複数設けられていることを特徴とする。
２．前記枠体は、平面視で円環状又は円弧状に形成されており、前記吸着孔は、前記枠体の軸回りの円周方向に沿って複数設けられている上記１．に記載の眼球固定具。
３．前記吸着孔は、４個以上設けられている上記１．又は２．に記載の眼球固定具。
４．前記吸着孔の開口の直径は、０．１ｍｍ〜２．０ｍｍである上記１．乃至３．のいずれか一項に記載の眼球固定具。
５．前記吸着孔は、前記枠体の底面において外周縁よりも内周縁に近い位置で開口している上記１．乃至４．のいずれか一項に記載の眼球固定具。
６．前記枠体の底面には、底方に向かって拡径するテーパ面が形成されており、前記吸着孔は、前記テーパ面に開口している上記１．乃至５．のいずれか一項に記載の眼球固定具。
７．前記眼球固定具は、角膜輪部切開術で用いられ、前記枠体には、前記角膜輪部切開術でのメスによる切開の際に該メスの移動を案内するガイド面が設けられている上記１．乃至６．のいずれか一項に記載の眼球固定具。
８．前記眼球固定具は、角膜輪部切開術で用いられ、前記枠体には、前記角膜輪部切開術でのメスの切開範囲を示すゲージ部が設けられている上記１．乃至７．のいずれか一項に記載の眼球固定具。
【発明の効果】
【０００９】
本発明の眼球固定具によると、中空状の枠体と、枠体に一端側が接続されるとともに、枠体の内部空間に連なる通気路が形成された中空棒状の持ち手部と、を備え、持ち手部には、通気路に連なるように弾性袋状部が設けられている。そして、枠体には、一端側が該枠体の内部空間に連なり且つ他端側が該枠体の底面に開口する吸着孔が形成されており、吸着孔は、複数設けられている。これにより、弾性袋状部の弾性変形により持ち手部の通気路及び枠体の内部空間を介して各吸着孔に吸引気流を生じさせることで、各吸着孔により眼球壁が吸着される。よって、目の治療の際に眼球の損傷を抑制して眼球を固定することができる。
また、前記枠体が、平面視で円環状又は円弧状に形成されており、前記吸着孔が、前記枠体の軸回りの円周方向に沿って複数設けられている場合は、眼球の損傷を更に抑制して眼球を固定できる。
また、前記吸着孔が、４個以上設けられている場合は、吸着孔の１つ当りの吸着力が強くなりすぎず、眼球の損傷を更に抑制して眼球を固定できる。
また、前記吸着孔の開口の直径が、０．１ｍｍ〜２．０ｍｍである場合は、吸着孔の開口面積が比較的小さくなるため、吸着孔の１つ当りの吸着力が強くなりすぎず、眼球の損傷を更に抑制して眼球を固定できる。
また、前記吸着孔が、前記枠体の底面において外周縁よりも内周縁に近い位置で開口している場合は、吸着孔の開口が眼球壁に対峙するため、眼球を更に容易に固定できる。
さらに、前記枠体の底面に、底方に向かって拡径するテーパ面が形成されており、前記吸着孔が、前記テーパ面に開口している場合は、吸着孔の開口が眼球壁に対峙するため、眼球を更に容易に固定できる。
また、前記眼球固定具が、角膜輪部切開術で用いられ、前記枠体に、前記角膜輪部切開術でのメスによる切開の際に該メスの移動を案内するガイド面が設けられている場合は、眼球固定具で眼球を固定した状態でガイド面によりメスの移動が案内されるため、角膜の周辺輪部に対して適切な位置に切開を加えることができる。よって、切開線の事前スタンプを必要とせず角膜輪部切開術を適切に実施できる。
さらに、前記眼球固定具が、角膜輪部切開術で用いられ、前記枠体に、前記角膜輪部切開術でのメスの切開範囲を示すゲージ部が設けられている場合は、眼球固定具で眼球を固定した状態でゲージ部によりメスの切開範囲が示されるため、角膜の周辺輪部に対して適切な範囲で切開を加えることができる。よって、切開線の事前スタンプを必要とせず角膜輪部切開術を適切に実施できる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る眼球固定具の斜視図である。
【図２】上記眼球固定具の一部を断面とした側面図である。
【図３】図２のＩＩＩ矢視部の拡大図である。
【図４】図３のＩＶ−ＩＶ線断面図である。
【図５】上記眼球固定具の作用説明図であり、（ａ）は眼球を固定した状態を示し、（ｂ）は眼球の固定を解除した状態を示す。
【図６】実施例２に係る眼球固定具の斜視図である。
【図７】上記眼球固定具の作用を説明するための説明図である。
【図８】上記眼球固定具の作用を説明するための説明図である。
【図９】他の形態に係る眼球固定具を説明するための説明図である。
【図１０】更なる他の形態に係る眼球固定具を説明するための説明図である。
【図１１】更なる他の形態に係る眼球固定具を説明するための説明図である。
【図１２】更なる他の形態に係る眼球固定具を説明するための説明図である。
【図１３】更なる他の形態に係る眼球固定具を説明するための説明図である。
【図１４】更なる他の形態に係る眼球固定具を説明するための説明図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本実施形態に係る眼球固定具は、例えば、図１及び図６等に示すように、眼球（１０）を固定するための眼球固定具（１Ａ、１Ｂ）であって、中空状の枠体（３）と、枠体に一端側が接続されるとともに、枠体の内部空間（３ａ）に連なる通気路（４ａ）が形成された中空棒状の持ち手部（４）と、を備え、持ち手部には、通気路（４ａ）に連なるように弾性袋状部（５）が設けられている。そして、枠体（３）には、一端側が該枠体の内部空間（３ａ）に連なり且つ他端側が該枠体の底面（３ｂ）に開口する吸着孔（９）が形成されており、吸着孔（９）は、複数設けられている。
【００１３】
本実施形態に係る眼球固定具としては、例えば、図１及び図６等に示すように、上記枠体（３）は、平面視で円環状又は円弧状に形成されており、吸着孔（９）は、枠体（３）の軸（Ｃ）回りの円周方向に沿って複数設けられている形態が挙げられる。
【００１４】
上記吸着孔（９）の配置形態、個数、大きさ等は特に問わない。この吸着孔（９）は、例えば、３個又は２個設けられていてもよいが、吸着力の分散性の観点から、４個以上（特に６個以上）設けられていることが好ましい。この場合、吸着孔の加工性の観点から、吸着孔（９）は、３０個以下（特に２０個以下）設けられていることが好ましい。また、眼球の固定性の観点から、吸着孔（９）の開口の直径は、０．１ｍｍ〜２．０ｍｍ（特に０．１ｍｍ〜１．０ｍｍ）であることが好ましい。さらに、眼球の固定性の観点から、吸着孔（９）は、枠体（３）の底面（３ｂ）において外周縁（３０ａ）よりも内周縁（３０ｂ）に近い位置で開口していることが好ましい（例えば、図３等参照）。さらに、眼球の固定性の観点から、枠体（３）の底面（３ｂ）には、底方に向かって拡径するテーパ面（１２）が形成されており、吸着孔（９）は、テーパ面（１２）に開口していることが好ましい（例えば、図１０等参照）。
【００１５】
なお、上記枠体（３）の材質、形状、大きさ等は特に問わない。この枠体（３）の材質としては、例えば、チタンやステンレス等の金属、合成樹脂等が挙げられる。また、上記持ち手部（４）の材質、形状、大きさ等は特に問わない。この手持ち部（４）の材質としては、例えば、チタンやステンレス等の金属、合成樹脂等が挙げられる。さらに、上記弾性袋状部（５）の材質、形状、大きさ等は特に問わない。この弾性袋状部（５）の材質としては、例えば、ゴム、エラストマ、合成樹脂等が挙げられる。
【００１６】
本実施形態に係る眼球固定具としては、例えば、図６〜図８等に示すように、眼球固定具（１Ｂ）は、角膜輪部切開術で用いられ、枠体（３）には、角膜輪部切開術でのメス（２０）による切開の際に該メス（２０）の移動を案内するガイド面（２１）が設けられている形態が挙げられる。このガイド面（２１）は、例えば、メス（２０）が角膜の周辺輪部（４０）に対して略垂直に切り込むようにメス（２０）を案内することができる。
【００１７】
本実施形態に係る眼球固定具としては、例えば、図６〜図８等に示すように、眼球固定具（１Ｂ）は、角膜輪部切開術で用いられ、枠体（３）には、角膜輪部切開術でのメス（２０）の切開範囲を示すゲージ部（２２）が設けられている形態が挙げられる。このゲージ部（２２）は、通常、メス（２０）の切開の角度範囲を示す。
【００１８】
なお、上記実施形態で記載した各構成の括弧内の符号は、後述する実施例に記載の具体的構成との対応関係を示すものである。
【実施例】
【００１９】
以下、図面を用いて実施例により本発明を具体的に説明する。
【００２０】
＜実施例１＞
（１）眼球固定具の構成
本実施例に係る眼球固定具１Ａは、図１及び図２に示すように、中空リング状で金属製の枠体３と、枠体３に一端側が接続されるとともに、枠体３の内部空間３ａに連なる通気路４ａが形成された中空棒状で金属製の持ち手部４と、を備えている。この通気路４ａは、持ち手部４の長手方向にわたって形成されている。また、持ち手部４の他端側には、通気路４ａに連なるようにゴム製の弾性袋状部５が設けられている。
【００２１】
具体的に、持ち手部４の一端側は、枠体３に対して溶接等により取り付けられている。また、持ち手部４の他端側には、中空状の突起６が設けられている。この突起６の外周には、弾性袋状部５の管状の接続部７が圧入されている（図２参照）。
【００２２】
上記枠体３には、図３及び図４に示すように、一端側が該枠体３の内部空間３ａに連なり且つ他端側が該枠体３の底面３ｂに開口する吸着孔９が形成されている。この吸着孔９は、枠体３の軸Ｃ回りの円周方向に沿って等ピッチ角度で複数（図中８個）設けられている。これら各吸着孔９の開口の直径は、約０．５ｍｍである。さらに、各吸着孔９は、枠体３の底面３ｂにおいて外周縁３０ａよりも内周縁３０ｂに近い位置（即ち、底面３ｂの内周縁３０ｂ寄りの位置）で開口している。
【００２３】
（２）眼球固定具の作用
次に、上記構成の眼球固定具１Ａの作用について説明する。目の治療（例えば、白内障手術、屈折矯正手術等）の際に、持ち手部４を持って、自然状態（即ち、無負荷状態）の弾性袋状部５を押圧した状態で枠体３の底面３ｂを眼球壁（例えば、角膜輪部から強膜あたりの上皮としては結膜までの任意の部位）に押し当てる。その状態より、弾性袋状部５の押圧を解除すると、図５（ａ）に示すように、弾性袋状部５の弾性復元力により手持ち部４の通気路４ａ及び枠体３の内部空間３ａを介して各吸着孔９に吸引気流が生じる。そのため、各吸着孔９により眼球壁が吸着されて眼球１０が固定される。そして、持ち手部４を操作して眼球１０の位置を微調整しつつ目の治療が施される。一方、眼球１０の固定状態において弾性袋状部５を押圧すると、図５（ｂ）に示すように、手持ち部４の通気路４ａ及び枠体３の内部空間３ａを介して各吸着孔９に排出気流が生じる。そのため、各吸着孔９が眼球壁から離れて眼球１０の固定が解除される。
【００２４】
（３）実施例の効果
本実施例の眼球固定具１Ａによると、中空状の枠体３と、枠体３に一端側が接続されるとともに、枠体３の内部空間３ａに連なる通気路４ａが形成された中空棒状の持ち手部４と、を備え、持ち手部４には、通気路４ａに連なるように弾性袋状部５が設けられている。そして、枠体３には、一端側が該枠体３の内部空間３ａに連なり且つ他端側が該枠体３の底面３ｂに開口する吸着孔９が形成されており、吸着孔９は、枠体３の軸Ｃ回りの円周方向に沿って複数設けられている。これにより、弾性袋状部５の弾性変形により持ち手部４の通気路４ａ及び枠体３の内部空間３ａを介して各吸着孔９に吸引気流を生じさせることで、各吸着孔９により眼球壁が吸着される。よって、目の治療の際に眼球１０の損傷を抑制して眼球１０を固定することができる。
【００２５】
また、本実施例では、吸着孔９は、８個設けられている。これにより、吸着孔９の１つ当りの吸着力が強くなりすぎず、眼球１０の損傷を更に抑制して眼球１０を固定できる。
【００２６】
また、本実施例では、吸着孔９の開口の直径は、約０．５ｍｍである。これにより、吸着孔９の開口面積が比較的小さくなるため、吸着孔９の１つ当りの吸着力が強くなりすぎず、眼球１０の損傷を更に抑制して眼球１０を固定できる。
【００２７】
さらに、本実施例では、吸着孔９は、枠体３の底面３ｂにおいて外周縁３０ａよりも内周縁３０ｂに近い位置で開口している。これにより、吸着孔９の開口が眼球壁に対峙するため、眼球１０を更に容易に固定できる。
【００２８】
＜実施例２＞
次に、実施例２に係る眼球固定具１Ｂについて説明する。なお、実施例２の眼球固定具１Ｂにおいて、上述の実施例１の眼球固定具１Ａと略同じ構成部位には同じ符号を付けて詳説を省略する。
【００２９】
（１）眼球固定具の構成
本実施例に係る眼球固定具１Ｂは、角膜輪部切開術（Limbal Relaxing Incision；以下「ＬＲＩ」とも称する。）で用いられて眼球１０を固定するためのものである。この眼球固定具１Ｂは、図６に示すように、吸着孔９が形成された枠体３と、弾性袋状部５が設けられた持ち手部４と、を備えている。この枠体３は、平面視で円弧状（具体的に、Ｃ字状）に形成されている。
【００３０】
上記枠体３には、図７に示すように、ＬＲＩでのメス２０による切開の際に該メス２０の移動を案内するガイド面２１が設けられている。このガイド面２１は、枠体３の内周側の上隅部を面取りして形成されている。また、ガイド面２１は、枠体３の軸Ｃに沿う断面において、メス２０が角膜の周辺輪部４０に対して略垂直に切り込むように枠体３の軸Ｃに対して所定角度（鋭角）で傾斜している。さらに、枠体３の上面には、図８に示すように、角膜輪部切開術でのメス２０の切開範囲を示すゲージ部２２が設けられている。このゲージ部２２は、メス２０の切開の角度範囲を示す。
【００３１】
（２）眼球固定具の作用
次に、上記構成の眼球固定具１Ｂの作用について説明する。なお、本実施例では、眼球固定具１Ｂの吸着作用（眼球固定具１Ａと略同様の吸着作用）により眼球１０を固定した状態で、図８に示すように、枠体３の開口部２４を介して白内障手術を行い、その後、角膜の周辺輪部４０において白内障手術の切開２６と反対側の部位にＬＲＩを行う形態を例示する。
【００３２】
上記ＬＲＩでは、術者は、ゲージ部２２を参照しながら、角膜の周辺輪部４０の適切な位置にメス２０を約５５０μｍの深さで切り込む。このとき、メス２０は、ガイド面２１に案内されることで角膜の周辺輪部４０に対して略垂直に切り込まれる。そして、術者は、ゲージ部２２を参照しながら、メス２０をガイド面２１に沿って移動させることで、角膜の周辺輪部４０に切開２７が加えられる。
【００３３】
（３）実施例の効果
本実施例の眼球固定具１Ｂによると、実施例１の眼球固定具１Ａと略同様の作用・効果を奏するとともに、枠体３には、角膜輪部切開術でのメス２０による切開の際に該メス２０の移動を案内するガイド面２１が設けられているので、眼球固定具１Ｂで眼球１０を固定した状態でガイド面２１によりメス２０の移動が案内されるため、角膜の周辺輪部４０に対して適切な位置に切開２７を加えることができる。よって、切開線の事前スタンプを必要とせず角膜輪部切開術を適切に実施できる。
【００３４】
さらに、本実施例では、枠体３には、角膜輪部切開術でのメス２０の切開範囲を示すゲージ部２２が設けられている。これにより、眼球固定具１Ｂで眼球１０を固定した状態でゲージ部２２によりメス２０の切開範囲が示されるため、角膜の周辺輪部４０に対して適切な範囲で切開２７を加えることができる。よって、切開線の事前スタンプを必要とせず角膜輪部切開術を適切に実施できる。
【００３５】
尚、本発明においては、上記実施例１、２に限られず、目的、用途に応じて本発明の範囲内で種々変更した実施例とすることができる。すなわち、上記実施例１、２において、例えば、図９に示すように、枠体３の底面３ｂに吸着孔９を囲むように突出する突起筒１１を設けるようにしてもよい。この突起筒１１は、例えば、末広がり状に形成されていることができる。
【００３６】
また、上記実施例１、２において、例えば、図１０に示すように、枠体３の底面３ｂに、底方に向かって拡径するテーパ面１２を形成し、各吸着孔９を、テーパ面１２で開口させるようにしてもよい。これにより、吸着孔９の開口が眼球壁に対峙するため、眼球１０を更に容易に固定できる。なお、上記テーパ面１２は、枠体３の底面３ｂの一部に形成されていてもよいし、枠体３の底面３ｂの全面に形成されていてもよい。
【００３７】
また、上記実施例１、２では、枠体３の底面３ｂにおいて外周縁３０ａよりも内周縁３０ｂに近い位置で吸着孔９を開口させるようにしたが、これに限定されず、例えば、枠体３の底面３ｂにおいて外周縁３０ａと内周縁３０ｂとの中央位置で吸着孔９を開口させたり、枠体３の底面３ｂにおいて内周縁３０ｂよりも外周縁３０ａに近い位置で吸着孔９を開口させたりしてもよい。
【００３８】
また、上記実施例１、２では、枠体３の軸Ｃ回りの円周方向に等ピッチ角度で複数配置される吸着孔９を例示したが、これに限定されず、例えば、枠体３の軸Ｃ回りの円周方向に不等ピッチ角度で複数配置される吸着孔９としてもよい。
【００３９】
また、上記実施例１では、閉じたリング状の枠体３を例示したが、これに限定されず、例えば、図１２に示すように、開口部２０を有する枠体３（例えば、Ｃ字、Ｕ字状等の枠体３）としてもよい。この場合、例えば、枠体３の開口部２０から角膜や強膜を経由して、前房内に眼科手術用器具を出し入れすることができる。
【００４０】
また、上記実施例１、２では、直線棒状に延びる手持ち部４を例示したが、これに限定されず、例えば、湾曲棒状又は屈曲棒状に延びる手持ち部４としてもよい。
【００４１】
また、上記実施例１、２では、枠体３に対して持ち手部４を固定的に支持する形態を例示したが、これに限定されず、例えば、枠体３に対して持ち手部４の角度を調整自在に支持するようにしてもよい。例えば、図１１に示すように、持ち手部４の軸端側に支持枠１４を設け、支持枠１４に回転自在に枠体３を支持し、枠体３の内部空間３ａと持ち手部４の通気路４ａとを連絡チューブ１５で連絡することができる。
【００４２】
さらに、上記実施例１、２では、持ち手部４の軸端側に設けられる弾性袋状部５を例示したが、これに限定されず、例えば、持ち手部４の軸方向の中間部に設けられる弾性袋状部５としてもよい。
【００４３】
さらに、上記実施例１、２では、持ち手部４の突起６に圧着される弾性袋状部５を例示したが、これに限定されず、例えば、持ち手部４に接着剤等により取り付けられる弾性袋状部５としてもよい。
【００４４】
また、上記実施例２では、枠体３の内周側の上隅部を面取りして形成されるガイド面２１を例示したが、これに限定されず、例えば、図１３に示すように、枠体３の上面に凸部２９を設け、凸部２９にガイド面２１を形成するようにしてもよい。
【００４５】
さらに、上記実施例２では、平面視で円弧状の枠体３を備える角膜輪部切開術用の眼球固定具１Ｂを例示したが、これに限定されず、例えば、図１４に示すように、平面視で円環状（すなわち、閉じたリング状）の枠体３を備える角膜輪部切開術用の眼球固定具１Ｂとしてもよい。この場合、ゲージ部２２は、枠体３の軸回りの円周方向に沿って複数設けられることができる。
【００４６】
さらに、上記実施例１の眼球固定具１Ａは、硝子体手術用のレンズを乗せて保持する機能を有していてもよい。すなわち、硝子体手術は、硝子体という水晶体より後ろの組織を触る手術であり、仰臥位で顕微鏡を用いて行われる。この際に、眼球内の硝子体が観察できるように、角膜の上にレンズを乗せる。そのレンズを乗せるための眼球固定具１Ａとして使用できる。
【００４７】
本発明は、上記で詳述した実施形態に限定されず、本発明の請求項に示した範囲で様々な変形または変更が可能である。
【産業上の利用可能性】
【００４８】
本発明は、目の治療の際に眼球を固定する技術として広く利用される。
【符号の説明】
【００４９】
１Ａ、１Ｂ；眼球固定具、３；枠体、３ａ；内部空間、３ｂ；底面、４；持ち手部、４ａ；通気路、５；弾性袋状部、９；吸着孔、１０；眼球、１２；テーパ面、２０；メス、２１；ガイド面、２２；ゲージ部、３０ａ；外周縁、３０ｂ；内周縁、Ｃ；枠体の軸。
【図１】
2020018839.tif 000003
【図２】
2020018839.tif 000004
【図３】
2020018839.tif 000005
【図４】
2020018839.tif 000006
【図５】
2020018839.tif 000007
【図６】
2020018839.tif 000008
【図７】
2020018839.tif 000009
【図８】
2020018839.tif 000010
【図９】
2020018839.tif 000011
【図１０】
2020018839.tif 000012
【図１１】
2020018839.tif 000013
【図１２】
2020018839.tif 000014
【図１３】
2020018839.tif 000015
【図１４】
2020018839.tif 000016